(57)【要約】【課題】全ズーム域でテレセントリック性を確保しながら、レーザ光源の広い色再現領域でも十分に小さい軸上色収差を全ズーム域で実現することのできるコンパクトな投影レンズを提供する。【解決手段】投影レンズＺＬは、少なくとも１つのレンズ群を光軸に沿って移動させることにより変倍を行う、レーザ光源用のズームレンズであって、条件式：（｜ＡＣ（Ｂ２−Ｇ）｜＋｜ＡＣ（Ｒ２−Ｇ）｜）／（｜ＡＣ（Ｂ１−Ｇ）｜＋｜ＡＣ（Ｒ１−Ｇ）｜）＜０．８（ＡＣ（Ｂ２−Ｇ）：波長λＢ２と波長λＧとの間の軸上色収差、ＡＣ（Ｒ２−Ｇ）：波長λＲ２と波長λＧとの間の軸上色収差、ＡＣ（Ｂ１−Ｇ）：波長λＢ１と波長λＧとの間の軸上色収差、ＡＣ（Ｒ１−Ｇ）：波長λＲ１と波長λＧとの間の軸上色収差）を満足する。【選択図】図１
2013148812.tif 000002
【特許請求の範囲】
【請求項１】
少なくとも１つのレンズ群を光軸に沿って移動させることにより変倍を行う、レーザ光源用のズームレンズであって、以下の条件式（１）を満足することを特徴とする投影レンズ；
（｜ＡＣ（Ｂ２−Ｇ）｜＋｜ＡＣ（Ｒ２−Ｇ）｜）／（｜ＡＣ（Ｂ１−Ｇ）｜＋｜ＡＣ（Ｒ１−Ｇ）｜）＜０．８  …（１）
ただし、
λＧ：緑色レーザの波長、
λＢ２：青色レーザの波長、
λＲ２：赤色レーザの波長、
λＢ１：緑色レーザの波長λＧと青色レーザの波長λＢ２の中間値、
λＲ１：緑色レーザの波長λＧと赤色レーザの波長λＲ２の中間値、
ＡＣ（Ｂ２−Ｇ）：波長λＢ２と波長λＧとの間の軸上色収差、
ＡＣ（Ｒ２−Ｇ）：波長λＲ２と波長λＧとの間の軸上色収差、
ＡＣ（Ｂ１−Ｇ）：波長λＢ１と波長λＧとの間の軸上色収差、
ＡＣ（Ｒ１−Ｇ）：波長λＲ１と波長λＧとの間の軸上色収差、
である。
【請求項２】
拡大側から、第１群と、可動の第２群と、それより縮小側の少なくとも２つの可動群と、を有し、前記第２群の縮小側に隣り合って位置するレンズ群を第３群とすると、その第３群以降の全ての可動群内のレンズ成分が以下の条件式（２）を満足することを特徴とする請求項１記載の投影レンズ；
０．４＜｛ｆｗ2×Σ（ｈｗ×ｈｗ×Δθｇ，Ｆ×ｐｉ／Ｖｄ）｝／｛ｆｔ2×Σ（ｈｔ×ｈｔ×Δθｇ，Ｆ×ｐｉ／Ｖｄ）｝＜２．５  …（２）
ただし、
Δθｇ，Ｆ：各レンズ硝材の異常分散性、
ｐｉ：各レンズの屈折力、
ｆｗ：広角端での焦点距離、
ｆｔ：望遠端での焦点距離、
ｈｗ：広角端での軸上マージナル光の光線通過高さ、
ｈｔ：望遠端での軸上マージナル光の光線通過高さ、
Ｖｄ：各レンズ硝材の分散（アッベ数）、
である。
【請求項３】
前記少なくとも２つの可動群が、それぞれ２枚以下のレンズ成分より成ることを特徴とする請求項２記載の投影レンズ。
【請求項４】
以下の条件式（３）を満足することを特徴とする請求項２又は３記載の投影レンズ；
Ｔ３ｓ／ＴＬｗ＜０．３  …（３）
ただし、
Ｔ３ｓ：第３群以降の可動群内レンズ面から絞りまでの光軸上の最大距離、
ＴＬｗ：広角端でのレンズ全長、
である。
【請求項５】
以下の条件式（４）を満足することを特徴とする請求項２〜４のいずれか１項に記載の投影レンズ；
０．２＜｜Ｔｍａｘ／Ｔ２｜＜０．８  …（４）
ただし、
Ｔｍａｘ：第３群以降の可動群の変倍時の最大移動量、
Ｔ２：変倍時の第２群の移動量、
である。
【請求項６】
前記第３群以降の可動群として、負のパワーを有するレンズ群と、正のパワーを有するレンズ群と、をそれぞれ少なくとも１つずつ有することを特徴とする請求項２〜５のいずれか１項に記載の投影レンズ。
【請求項７】
前記第３群が負のパワーを有することを特徴とする請求項２〜６のいずれか１項に記載の投影レンズ。
【請求項８】
前記第３群の縮小側に隣り合って位置するレンズ群を第４群とすると、その第４群が正のパワーを有することを特徴とする請求項２〜７のいずれか１項に記載の投影レンズ。
【請求項９】
前記第３群以降の可動群内の負のパワーを有する全てのレンズ成分が、以下の条件式（５）を満足することを特徴とする請求項２〜８のいずれか１項に記載の投影レンズ；
Δθｇ，Ｆ＞０  …（５）
ただし、
Δθｇ，Ｆ：各レンズ硝材の異常分散性、
である。
【請求項１０】
前記第１群が変倍時に固定であることを特徴とする請求項２〜９のいずれか１項に記載の投影レンズ。
【請求項１１】
最も縮小側のレンズ群が変倍時に固定であることを特徴とする請求項２〜１０のいずれか１項に記載の投影レンズ。
【請求項１２】
最も縮小側の群が正のパワーを有することを特徴とする請求項２〜１１のいずれか１項に記載の投影レンズ。
【請求項１３】
前記第３群より縮小側の可動群が全て単レンズから成ることを特徴とする請求項２〜１２のいずれか１項に記載の投影レンズ。
【請求項１４】
前記第３群より縮小側の可動群が全て絞りより拡大側に位置することを特徴とする請求項２〜１３のいずれか１項に記載の投影レンズ。
【請求項１５】
画像を表示する画像表示素子と、レーザ光源と、そのレーザ光源からの光を前記画像表示素子に導く照明光学系と、前記画像表示素子に表示された画像をスクリーン面に拡大投影する請求項１〜１４のいずれか１項に記載の投影レンズと、を備えたことを特徴とするプロジェクタ。
【発明の詳細な説明】
【技術分野】
【０００１】
本発明は変倍機能を有する投影レンズ及びプロジェクタに関するものであり、例えば、単色性の高いレーザ光源を用いたプロジェクタと、それに最適な投影用ズームレンズに関するものである。
【背景技術】
【０００２】
プロジェクタ用の投影レンズとして好適なズームレンズが、特許文献１，２等で提案されている。しかし、その構成はキセノンランプ等の白色光源の使用を想定しているため、レーザ光源を使用するタイプのプロジェクタに適したものとは言えない。
【先行技術文献】
【特許文献】
【０００３】
【特許文献１】特開２０１０−００８７９７号公報
【特許文献２】特開平１０−１６１０２６号公報
【発明の概要】
【発明が解決しようとする課題】
【０００４】
レーザ光源には、広い色再現領域を実現できるという特長がある。その広い色再現領域を活かすためには、従来の投影レンズに比べて広い波長範囲での色収差を良好に補正する必要がある。また、効率良くダイクロイックプリズムで色合成したり、ＴＩＲ(Total Internal Reflection)プリズムで照明光を取り込んだりするために、テレセントリック性の要請もある。それらの要望に対応でき、かつ、コンパクトで低コストなズームレンズが、投影レンズとして求められてきている。
【０００５】
キセノンランプ等の白色光源を使用する場合は、ある程度広い波長域を各色で持つため、ズーミング時に色収差が変動してもその波長域で平均化されて比較的色収差は目立たない。しかし、レーザ光源に代表される単色光を用いる場合、特定の色だけを使用しているために平均化されず、色収差が目立つことになる。
【０００６】
特許文献１記載のズームレンズは、第３群が３枚のレンズ成分から成っている。このため、投影レンズをコンパクト化しようとすると、軸上色収差を補正する絞り近くでの群の移動量が小さくなり、全ズーム域で軸上色収差を補正することが難しくなる。そして、軸上色収差を補正するために群移動量を確保した場合には、レンズが大きくなってコスト高になる。
【０００７】
特許文献２記載のズームレンズは、第３群以降の一部の可動群で移動量が大きくなっている。このため、ズーミングによる軸上マージナル光線の通過位置の変動が大きくなり、ズーミングによる軸上色収差変動を抑えることが困難になる。
【０００８】
本発明はこのような状況に鑑みてなされたものであって、その目的は、全ズーム域でテレセントリック性を確保しながら、レーザ光源の広い色再現領域でも十分に小さい軸上色収差を全ズーム域で実現することのできるコンパクトな投影レンズと、それを備えたプロジェクタを提供することにある。
【課題を解決するための手段】
【０００９】
上記目的を達成するために、第１の発明の投影レンズは、少なくとも１つのレンズ群を光軸に沿って移動させることにより変倍を行う、レーザ光源用のズームレンズであって、以下の条件式（１）を満足することを特徴とする。
（｜ＡＣ（Ｂ２−Ｇ）｜＋｜ＡＣ（Ｒ２−Ｇ）｜）／（｜ＡＣ（Ｂ１−Ｇ）｜＋｜ＡＣ（Ｒ１−Ｇ）｜）＜０．８  …（１）
ただし、
λＧ：緑色レーザの波長、
λＢ２：青色レーザの波長、
λＲ２：赤色レーザの波長、
λＢ１：緑色レーザの波長λＧと青色レーザの波長λＢ２の中間値、
λＲ１：緑色レーザの波長λＧと赤色レーザの波長λＲ２の中間値、
ＡＣ（Ｂ２−Ｇ）：波長λＢ２と波長λＧとの間の軸上色収差、
ＡＣ（Ｒ２−Ｇ）：波長λＲ２と波長λＧとの間の軸上色収差、
ＡＣ（Ｂ１−Ｇ）：波長λＢ１と波長λＧとの間の軸上色収差、
ＡＣ（Ｒ１−Ｇ）：波長λＲ１と波長λＧとの間の軸上色収差、
である。
【００１０】
第２の発明の投影レンズは、上記第１の発明において、拡大側から、第１群と、可動の第２群と、それより縮小側の少なくとも２つの可動群と、を有し、前記第２群の縮小側に隣り合って位置するレンズ群を第３群とすると、その第３群以降の全ての可動群内のレンズ成分が以下の条件式（２）を満足することを特徴とする。
０．４＜{ｆｗ2×Σ（ｈｗ×ｈｗ×Δθｇ，Ｆ×ｐｉ／Ｖｄ）}／{ｆｔ2×Σ（ｈｔ×ｈｔ×Δθｇ，Ｆ×ｐｉ／Ｖｄ）}＜２．５  …（２）
ただし、
Δθｇ，Ｆ：各レンズ硝材の異常分散性、
ｐｉ：各レンズの屈折力、
ｆｗ：広角端での焦点距離、
ｆｔ：望遠端での焦点距離、
ｈｗ：広角端での軸上マージナル光の光線通過高さ、
ｈｔ：望遠端での軸上マージナル光の光線通過高さ、
Ｖｄ：各レンズ硝材の分散（アッベ数）、
である。
【００１１】
第３の発明の投影レンズは、上記第２の発明において、前記少なくとも２つの可動群が、それぞれ２枚以下のレンズ成分より成ることを特徴とする。
【００１２】
第４の発明の投影レンズは、上記第２又は第３の発明において、以下の条件式（３）を満足することを特徴とする。
Ｔ３ｓ／ＴＬｗ＜０．３  …（３）
ただし、
Ｔ３ｓ：第３群以降の可動群内レンズ面から絞りまでの光軸上の最大距離、
ＴＬｗ：広角端でのレンズ全長、
である。
【００１３】
第５の発明の投影レンズは、上記第２〜第４のいずれか１つの発明において、以下の条件式（４）を満足することを特徴とする。
０．２＜｜Ｔｍａｘ／Ｔ２｜＜０．８  …（４）
ただし、
Ｔｍａｘ：第３群以降の可動群の変倍時の最大移動量、
Ｔ２：変倍時の第２群の移動量、
である。
【００１４】
第６の発明の投影レンズは、上記第２〜第５のいずれか１つの発明において、前記第３群以降の可動群として、負のパワーを有するレンズ群と、正のパワーを有するレンズ群と、をそれぞれ少なくとも１つずつ有することを特徴とする。
【００１５】
第７の発明の投影レンズは、上記第２〜第６のいずれか１つの発明において、前記第３群が負のパワーを有することを特徴とする。
【００１６】
第８の発明の投影レンズは、上記第２〜第７のいずれか１つの発明において、前記第３群の縮小側に隣り合って位置するレンズ群を第４群とすると、その第４群が正のパワーを有することを特徴とする。
【００１７】
第９の発明の投影レンズは、上記第２〜第８のいずれか１つの発明において、前記第３群以降の可動群内の負のパワーを有する全てのレンズ成分が、以下の条件式（５）を満足することを特徴とする。
Δθｇ，Ｆ＞０  …（５）
ただし、
Δθｇ，Ｆ：各レンズ硝材の異常分散性、
である。
【００１８】
第１０の発明の投影レンズは、上記第２〜第９のいずれか１つの発明において、前記第１群が変倍時に固定であることを特徴とする。
【００１９】
第１１の発明の投影レンズは、上記第２〜第１０のいずれか１つの発明において、最も縮小側のレンズ群が変倍時に固定であることを特徴とする。
【００２０】
第１２の発明の投影レンズは、上記第２〜第１１のいずれか１つの発明において、最も縮小側の群が正のパワーを有することを特徴とする。
【００２１】
第１３の発明の投影レンズは、上記第２〜第１２のいずれか１つの発明において、前記第３群より縮小側の可動群が全て単レンズから成ることを特徴とする。
【００２２】
第１４の発明の投影レンズは、上記第２〜第１３のいずれか１つの発明において、前記第３群より縮小側の可動群が全て絞りより拡大側に位置することを特徴とする。
【００２３】
第１５の発明のプロジェクタは、画像を表示する画像表示素子と、レーザ光源と、そのレーザ光源からの光を前記画像表示素子に導く照明光学系と、前記画像表示素子に表示された画像をスクリーン面に拡大投影する上記第１〜第１４のいずれか１つの発明に係る投影レンズと、を備えたことを特徴とする。
【発明の効果】
【００２４】
本発明によれば、軸上色収差が所定の条件を満たした構成等を採用しているため、投影レンズにおいてテレセントリック性とコンパクト性を全ズーム域で確保しながら、レーザ光源の広い色再現領域でも十分に小さい軸上色収差を全ズーム域で実現することが可能である。
【図面の簡単な説明】
【００２５】
【図１】第１の実施の形態（実施例１）の光学構成図。
【図２】第２の実施の形態（実施例２）の光学構成図。
【図３】第３の実施の形態（実施例３）の光学構成図。
【図４】第４の実施の形態（実施例４）の光学構成図。
【図５】実施例１の広角端での収差図。
【図６】実施例１のミドルでの収差図。
【図７】実施例１の望遠端での収差図。
【図８】実施例２の広角端での収差図。
【図９】実施例２のミドルでの収差図。
【図１０】実施例２の望遠端での収差図。
【図１１】実施例３の広角端での収差図。
【図１２】実施例３のミドルでの収差図。
【図１３】実施例３の望遠端での収差図。
【図１４】実施例４の広角端での収差図。
【図１５】実施例４のミドルでの収差図。
【図１６】実施例４の望遠端での収差図。
【図１７】各実施例の軸上色収差を示すグラフ。
【図１８】プロジェクタの一実施の形態を示す模式図。
【発明を実施するための形態】
【００２６】
以下、本発明に係る投影レンズ，プロジェクタ等を説明する。本発明に係る投影レンズは、少なくとも１つのレンズ群を光軸に沿って移動させることにより変倍を行う、レーザ光源用のズームレンズであって、以下の条件式（１）を満足することを特徴とする。
（｜ＡＣ（Ｂ２−Ｇ）｜＋｜ＡＣ（Ｒ２−Ｇ）｜）／（｜ＡＣ（Ｂ１−Ｇ）｜＋｜ＡＣ（Ｒ１−Ｇ）｜）＜０．８  …（１）
ただし、
λＧ：緑色レーザの波長、
λＢ２：青色レーザの波長、
λＲ２：赤色レーザの波長、
λＢ１：緑色レーザの波長λＧと青色レーザの波長λＢ２の中間値、
λＲ１：緑色レーザの波長λＧと赤色レーザの波長λＲ２の中間値、
ＡＣ（Ｂ２−Ｇ）：波長λＢ２と波長λＧとの間の軸上色収差、
ＡＣ（Ｒ２−Ｇ）：波長λＲ２と波長λＧとの間の軸上色収差、
ＡＣ（Ｂ１−Ｇ）：波長λＢ１と波長λＧとの間の軸上色収差、
ＡＣ（Ｒ１−Ｇ）：波長λＲ１と波長λＧとの間の軸上色収差、
である。
【００２７】
白色光源を用いる場合には、ズーミング時の色収差の変化が残っていても、特定の波長域（赤色領域あるいは青色領域）内で平均して色収差を補正すれば十分であったが、特定の波長しか使用しないレーザ光源においては、同じようにズーミング時に色収差の変化が残っていれば特定のズーム領域で投影像の画質が低下する。条件式（１）はレーザ光源の波長域での軸上色収差を、それら３波長の中間に当たる波長λＲ１，λＢ１よりも抑えることを示している。特定の波長しか使用しないレーザ光源においては、使用しない波長λＲ１，λＢ１で色収差が発生していても、使用する３波長λＧ，λＲ２，λＢ２で色収差を抑えていれば十分である。逆に言えば、使用しない波長λＲ１，λＢ１で軸上色収差を発生させることで、使用する３波長λＧ，λＲ２，λＢ２での軸上色収差を抑えている。そのため、ズーミング時にレーザ光源で使用する波長λＧ，λＲ２，λＢ２で発生する色収差を常に小さくすること、すなわち条件式（１）を全ズーム域で満たすことにより、全ズーム域でレーザ光源の広い色再現領域を活かすことが可能なズームレンズを実現することができる。
【００２８】
上述した投影レンズの特徴的構成によると、軸上色収差が所定の条件を満たした構成等を採用しているため、投影レンズにおいてテレセントリック性とコンパクト性を全ズーム域で確保しながら、レーザ光源の広い色再現領域でも十分に小さい軸上色収差を全ズーム域で実現することが可能である。そして、その投影レンズをプロジェクタに用いれば、プロジェクタの高性能化，高機能化，コンパクト化等に寄与することができる。こういった効果をバランス良く得るとともに、更に高い光学性能，小型化等を達成するための条件等を以下に説明する。
【００２９】
拡大側から、第１群と、可動の第２群と、それより縮小側の少なくとも２つの可動群と、を有し、前記第２群の縮小側に隣り合って位置するレンズ群を第３群とすると、その第３群以降の全ての可動群内のレンズ成分が以下の条件式（２）を満足することが望ましい。
０．４＜{ｆｗ2×Σ（ｈｗ×ｈｗ×Δθｇ，Ｆ×ｐｉ／Ｖｄ）}／{ｆｔ2×Σ（ｈｔ×ｈｔ×Δθｇ，Ｆ×ｐｉ／Ｖｄ）}＜２．５  …（２）
ただし、
Δθｇ，Ｆ：各レンズ硝材の異常分散性、
ｐｉ：各レンズの屈折力、
ｆｗ：広角端での焦点距離、
ｆｔ：望遠端での焦点距離、
ｈｗ：広角端での軸上マージナル光の光線通過高さ、
ｈｔ：望遠端での軸上マージナル光の光線通過高さ、
Ｖｄ：各レンズ硝材の分散（アッベ数）、
である。
【００３０】
ここで異常分散性とは、正常分散ガラスからの離れの度合いを表すパラメータである。一般的に縦軸に部分分散比θｇ，Ｆ、横軸に分散（アッベ数）Ｖｄをとると、ほぼ直線関係が成り立ち、その直線に乗るガラスを正常分散ガラスと呼ぶ。異常分散性が大きいガラスほど、色収差の補正に有効である。
【００３１】
また、レンズ硝材の異常分散性Δθｇ，Ｆは、式：θｇ，Ｆ＝ａｇ，Ｆ＋ｂｇ，Ｆ×Ｖｄ＋Δθｇ，Ｆで表される。ここで、部分分散比：θｇ，Ｆ＝（ｎｇ−ｎＦ）／（ｎＦ−ｎＣ）である(ｎｇ，ｎＦ，ｎＣ：ｇ線，Ｆ線，Ｃ線に対する屈折率)。また、ａｇ，Ｆとｂｇ，Ｆは定数であり、ａｇ，Ｆ＝０．６４８３２７，ｂｇ，Ｆ＝−０．００１８０２４である。
【００３２】
条件式（２）は、第３群以降の可動群内のレンズによる収差論により導出される軸上色補正量の広角端と望遠端での比を表している。条件式（２）を満たすことで、広角端と望遠端での色収差補正量の変化が小さくなり、全ズーム域で特定の波長での軸上色収差を小さくすることが容易となる。また、条件式（２）の上限値及び下限値は、ズーミングにおける軸上色収差の変動の観点から、望ましい値を設定している。条件式（２）を満足することでレーザ波長における色収差の変動をより少なくすることができる。
【００３３】
収差論からすると、レンズによる色収差補正量は、異常分散性と屈折力に加えて軸上マージナル光の光線通過高さにも比例する。したがって、変倍により第３群以降の可動群による色収差補正量は変動する。上記の構成では、第３群以降に複数の可動群を持たせることにより、レンズ群ごとの倍率色収差変動量をコントロールし、第３群以降の可動群全体での変倍による色収差補正量の変動を小さくしている。
【００３４】
プロジェクタ用投影レンズの場合、色合成プリズム等を挿入する必要があることから、長いバックフォーカスを確保する必要がある。そのため、投影レンズは前群に負パワー、後群に正パワーを有するレトロフォーカスタイプとなる（パワー：焦点距離の逆数で定義される量）。その場合、拡大側ほど軸上マージナル光の光線通過位置が低くなるため、軸上色収差補正の効果が低くなる。
【００３５】
軸上色収差を補正する第３群以降の可動群とは別に、第２群を移動量が大きくなりがちな変倍群とすることで、全ズーム域で第３群以降の可動群を軸上色収差を補正しやすい絞りに近い位置に配置することができ、効率的な軸上色収差補正が可能となる。また、色収差を補正する第３群以降の可動群が２枚以下のレンズ成分から成ることで、第３群以降の可動群がそれぞれ２枚以下のレンズ成分から成ることが好ましい。第３群以降の可動群を絞りの位置から離さずにその移動量を確保でき、投影光学系を大型化することなく効率的に軸上色収差を補正することができる。
【００３６】
以下の条件式（３）を満足することが望ましい。
Ｔ３ｓ／ＴＬｗ＜０．３  …（３）
ただし、
Ｔ３ｓ：第３群以降の可動群内レンズ面から絞りまでの光軸上の最大距離（なお、後述する実施例の場合、条件式（３）が適用される第３群以降の可動群内レンズ面は、第３群の最も拡大側の面に相当する。）、
ＴＬｗ：広角端でのレンズ全長、
である。
【００３７】
条件式（３）は、軸上色収差補正群（第３群以降の可動群）の位置を規定している。すなわち、条件式（３）は、第３群以降の可動群が絞りの近くに配置されていることを意味している。第３群以降の可動群が絞りから離れた位置にあると、軸上色収差の補正の効果が低下する。条件式（３）の上限値は、効果的に軸上色収差の補正を行う観点から設定されている。
【００３８】
以下の条件式（３ａ）を満たすことが更に望ましい。
０．０５＜Ｔ３ｓ／ＴＬｗ＜０．２５  …（３ａ）
この条件式（３ａ）は、前記条件式（３）が規定している条件範囲のなかでも、前記観点等に基づいた更に好ましい条件範囲を規定している。条件式（３）の下限を下回ると、軸上色収差補正群の移動量が小さくなるため、この場合も効果的に軸上色収差を補正することが難しくなる。したがって、好ましくは条件式（３ａ）を満たすことにより、上記効果をより一層大きくすることができる。
【００３９】
以下の条件式（４）を満足することが望ましい。
０．２＜｜Ｔｍａｘ／Ｔ２｜＜０．８  …（４）
ただし、
Ｔｍａｘ：第３群以降の可動群の変倍時の最大移動量、
Ｔ２：変倍時の第２群の移動量、
である。
【００４０】
条件式（４）は、軸上色収差補正群の移動量の第２群移動量に対する比を規定している。軸上色収差補正群の移動量が大きくなりすぎると、軸上色収差補正群はズーミング中に軸上色収差の補正効果の低い絞りから離れた位置に移動してしまう。一方、軸上色収差補正群の移動量が小さくなりすぎると、軸上色収差補正効果が小さくなる。以上の観点から、軸上色収差補正群の移動量の望ましい値を設定している。また、軸上色収差補正群を軸上色収差補正に効果的な絞り近くに置いた場合、軸上色収差補正群だけでは十分な変倍効果が得られないため、上記構成では主に第２群によって変倍を行っている。そのためには、軸上色収差補正群よりも第２群の移動量を大きくする必要があり、その意味でも条件式（４）を満たすことが望ましい。
【００４１】
前記第３群以降の可動群として、負のパワーを有するレンズ群と、正のパワーを有するレンズ群と、をそれぞれ少なくとも１つずつ有することが望ましい。このように構成すれば、正パワーのレンズ群で発生した軸上色収差を負パワーのレンズ群で補正することが可能となり、第３群以降の可動群で効率的に軸上色収差を補正することが可能となる。
【００４２】
前記第３群が負のパワーを有することが望ましい。軸上色収差は条件式（２）で説明したように、軸上マージナル光線の通過位置に依存して変動するが、倍率色収差は軸外光線の主光線通過位置に依存して変動する。第３群が負のパワーを有することで軸外光線を大きく曲げることができ、第３群での軸外主光線の通過位置を低くすることができる。そのため、第３群による倍率色収差の変動を抑えることができる。一方、第３群での軸外光線と軸上光線の通過位置が重なるため、軸上光のマージナル光線の方が軸外光の主光線より光線通過位置が高くなる。したがって、第３群において軸上色収差の方を倍率色収差よりも変動しやすくすることができる。第３群だけでなく軸外光線と軸上光線の位置が近い３群以降の可動群についても同じことが言える。
【００４３】
前記第３群の縮小側に隣り合って位置するレンズ群を第４群とすると、その第４群が正のパワーを有することが望ましい。このように構成すれば、例えば第３群で発生した軸上色収差を、軸上マージナル光線高さの近い第４群で効率良く抑えることができ、変倍時での軸上色収差変動が更に抑えやすくなる。
【００４４】
前記第３群以降の可動群内の負のパワーを有する全てのレンズ成分が、以下の条件式（５）を満足することが望ましい。
Δθｇ，Ｆ＞０  …（５）
ただし、
Δθｇ，Ｆ：各レンズ硝材の異常分散性、
である。
【００４５】
条件式（５）を満たすことは、軸上色収差補正群内の全ての負レンズがランゲの異常分散性を有することを意味する。したがって、条件式（５）を満たすことにより、短波長側で軸上色収差をマイナス側に曲げ、３波長で色収差を小さくする、いわゆるアポクロマートを実現することができる。
【００４６】
前記第１群が変倍時に固定であることが望ましい。このように構成すれば、径が大きくなりやすい第１群の玉枠構成を簡略化し、コストの増大を抑えることができる。
【００４７】
最も縮小側のレンズ群が変倍時に固定であることが望ましい。このように構成すれば、変倍時のテレセントリック性の変動を抑えることができる。
【００４８】
最も縮小側の群が正のパワーを有することが望ましい。このように構成すれば、テレセントリック性の確保が容易になる。
【００４９】
前記第３群より縮小側の可動群が全て単レンズから成ることが望ましい。このように構成すれば、第３群以降の可動群の移動量を更に確保しやすくなる。このことにより、効率的に軸上色収差を補正することが可能となる。
【００５０】
前記第３群より縮小側の可動群が全て絞りより拡大側に位置することが望ましい。可動群をすべて絞りより拡大側に配置することで、絞りより縮小側のレンズ群を固定にすることができ、変倍によるテレセントリック性の変動を小さくすることが可能となる。変倍時にテレセントリック性が悪化するズーム位置がある場合、その位置で軸外光の角度が大きくなるため、特にダイクロイックプリズムで色合成したり、ＴＩＲプリズムで照明光を取り込む場合に効率が悪くなる。
【００５１】
次に、第１〜第４の実施の形態を挙げて、投影レンズＺＬの具体的な光学構成を説明する。図１〜図４は、第１〜第４の実施の形態を構成する投影レンズＺＬにそれぞれ対応するレンズ構成図であり、広角端（Ｗ）でのレンズ配置等を光学断面で示している。各レンズ構成図中の矢印ｍｋ（ｋ＝１，２，３，…）は、広角端（Ｗ）から望遠端（Ｔ）へのズーミングにおける第ｋ群Ｇｒｋの移動をそれぞれ模式的に示している。ただし、第１群Ｇｒ１と最も縮小側のレンズ群は固定群であり、それらに対応する矢印はズーム位置固定であることを示している。なお、最も縮小側のレンズ群の縮小側に位置するプリズムＰＲ（例えばＴＩＲプリズム，色分解合成プリズム等）と画像表示素子のカバーガラスＣＧのズーム位置も固定である。
【００５２】
第１〜第４の実施の形態（図１〜図４）の投影レンズＺＬは、少なくとも第１群Ｇｒ１と最も縮小側のレンズ群（最終群）を固定群とし、その他のレンズ群を可動群として光軸ＡＸに沿って移動させることにより変倍を行うプロジェクタ用ズームレンズであり、拡大側から、第１群Ｇｒ１と、可動の第２群Ｇｒ２と、それより縮小側にそれぞれ２枚以下のレンズ成分より成る少なくとも２つの可動群と、をズーム群として有している。例えば、第１の実施の形態は拡大側から順に正負負正負正正の屈折力を有する７群構成のズームレンズであり、第２の実施の形態は拡大側から順に正負負正正正の屈折力を有する６群構成のズームレンズであり、第３の実施の形態は拡大側から順に負正負正正の屈折力を有する５群構成のズームレンズであり、第４の実施の形態は拡大側から順に負正負正正正の屈折力を有する６群構成のズームレンズである。
【００５３】
次に、投影レンズＺＬを適用したプロジェクタの一実施の形態を説明する。図１８に、プロジェクタＰＪの概略構成例を示す。このプロジェクタＰＪは、レーザ光源１２，照明光学系１３，画像表示素子１４，制御部１５，アクチュエータ１６，プリズムＰＲ，投影レンズＺＬ等を備えている。制御部１５は、プロジェクタＰＪの全体制御を司る部分である。画像表示素子１４は、光を変調して画像を生成する画像変調素子（例えば、デジタル・マイクロミラー・デバイス）であり、画像を表示する画像表示面ＩＭ上には、カバーガラスＣＧが設けられている。レーザ光源１２から出射したレーザ光は、照明光学系１３及びプリズムＰＲで画像表示素子１４に導かれる。プリズムＰＲは、例えばＴＩＲプリズム，色分解合成プリズム等から成り、照明光と投影光との分離等を行う。画像表示素子１４に表示された画像は、投影レンズＺＬでスクリーン面１１に拡大投影される。
【００５４】
投影レンズＺＬにおいてズーミングやフォーカシングのために移動するレンズ群には、それぞれ光軸ＡＸに沿って拡大側又は縮小側に移動させるアクチュエータ１６が接続されている。そしてアクチュエータ１６には、移動群の移動制御を行うための制御部１５が接続されている。なお、制御部１５及びアクチュエータ１６については、これを使わず手動でレンズ群を移動させてもよい。
【実施例】
【００５５】
以下、本発明を実施した投影レンズの構成等を、実施例のコンストラクションデータ等を挙げて更に具体的に説明する。ここで挙げる実施例１〜４（ＥＸ１〜４）は、前述した第１〜第４の実施の形態にそれぞれ対応する数値実施例であり、第１〜第４の実施の形態を表す光学構成図（図１〜図４）は、対応する実施例１〜４のレンズ構成等をそれぞれ示している。
【００５６】
各実施例のコンストラクションデータでは、面データとして、左側の欄から順に、面番号ｉ，曲率半径ｒ（ｍｍ），軸上面間隔ｔ（ｍｍ），ｄ線（波長５８７．５６ｎｍ）に関する屈折率Ｎｄ，ｄ線に関するアッベ数Ｖｄを示す。また、各種データとして、ズーム比（ＺＲ），像高（Ｙ’，ｍｍ），全系の焦点距離（ｆ，ｍｍ），Ｆナンバー（ＦＮｏ），半画角（ω，°），バックフォーカス（ＢＦ，ｍｍ），レンズ全長（ＴＬ，ｍｍ）を示し、ズームレンズ群データとして、各群の焦点距離（ｍｍ）を示す。バックフォーカスＢＦは、レンズ最終面から近軸像面ＩＭまでの距離を空気換算長により表記しており、レンズ全長ＴＬは、レンズ最前面からレンズ最終面までの距離にバックフォーカスを加えたものである。また、表１に各実施例の条件式対応値を示す（Ｌｊ：第ｊレンズ（ｊ＝１，２，３，…））。
【００５７】
図５〜図１６は、実施例１〜実施例４（ＥＸ１〜ＥＸ４）にそれぞれ対応する収差図（物体距離：∞）であり、図５，図８，図１１，図１４は広角端（Ｗ）における諸収差を示しており、図６，図９，図１２，図１５はミドル（Ｍ，中間焦点距離状態）における諸収差を示しており、図７，図１０，図１３，図１６は望遠端（Ｔ）における諸収差を示している。図５〜図１６のそれぞれにおいて、（Ａ）は球面収差等（ｍｍ）、（Ｂ）は非点収差（ｍｍ）、（Ｃ）は歪曲収差（％）、（Ｄ）は倍率色収差（ｍｍ）を示している（Ｈ：入射高さ（ｍｍ），Ｙ’：最大像高（ｍｍ））。
【００５８】
（Ａ）の球面収差図において、実線は波長５２５ｎｍ、一点鎖線は波長４４５ｎｍ、二点鎖線は波長６４０ｎｍに対する球面収差をそれぞれ表しており、破線ＳＣは正弦条件不満足量を表している。（Ｂ）の非点収差図において、ＤＳはサジタル像面であり、ＤＴはタンジェンシャル像面である。サジタル像面ＤＳでは、実線が波長５２５ｎｍ、一点鎖線が波長４４５ｎｍ、二点鎖線が波長６４０ｎｍに対する非点収差をそれぞれ表しており、タンジェンシャル像面ＤＴでは、最も短い破線が波長５２５ｎｍ、次に短い破線が波長４４５ｎｍ、最も長い破線が波長６４０ｎｍに対する非点収差をそれぞれ表している。（Ｃ）の歪曲収差図において実線は波長５２５ｎｍに対する歪曲（％）を表しており、（Ｄ）の倍率色収差図において実線は波長４４５ｎｍ、破線は波長６４０ｎｍに対する倍率色収差をそれぞれ表している。
【００５９】
図１７のグラフに各実施例の軸上色収差を示す。グラフの縦軸は軸上色収差（ｍｍ）であり、横軸は波長（μｍ）である。いずれの実施例も条件式（１）を満たしている。例えば、波長λＧに近い波長λＢ１よりも波長λＧから離れた波長λＢ２で軸上色収差が補正されており、その補正状態が広角端（Ｗ）から望遠端（Ｔ）にかけての全ズーム範囲で変化していないことが分かる。
【００６０】
なお、各実施例を投影レンズＺＬとしてプロジェクタ（例えば液晶プロジェクタ）ＰＪに用いる場合、本来はスクリーン面（被投影面）１１が像面であり画像表示面ＩＭ（例えば液晶パネル面）が物体面であるが、各実施例では光学設計上それぞれ縮小系とし、スクリーン面１１（図１８）を物体面とみなして画像表示面ＩＭで光学性能を評価している。そして、得られた光学性能から分かるように、各実施例のズームレンズはプロジェクタ用の投影レンズとしてだけでなく、撮像装置（例えばビデオカメラ，デジタルカメラ）用の撮像レンズとしても好適に使用可能である。
【００６１】
実施例１の投影レンズＺＬは、正負負正負正正の７群構成のズームレンズである。変倍時、第１群Ｇｒ１と絞りＳＴより縮小側の第７群Ｇｒ７は固定である。広角端（Ｗ）から望遠端（Ｔ）への変倍において、第２群Ｇｒ２〜第６群Ｇｒ６が全て縮小側へ単調に移動し、第２群Ｇｒ２の移動量が最も大きくなっている。
【００６２】
第３群Ｇｒ３以降の可動群において、全ズーム域で軸上マージナル光線通過位置が高くなる。また、全ズーム域での軸外光の第３群Ｇｒ３以降の可動群における光線通過位置が軸上光の光線通過位置とほぼ重なるため、軸外主光線の通過位置は低くなる。したがって、第３群Ｇｒ３以降の可動群では倍率色収差が変動しにくく、主に軸上色収差が変動することになる。
【００６３】
実施例１では、第３群Ｇｒ３と第５群Ｇｒ５が負の単レンズから成り、第４群Ｇｒ４と第６群Ｇｒ６が正の単レンズから成り、第３群Ｇｒ３と第５群Ｇｒ５の負レンズ（第７，第９レンズＬ７，Ｌ９）が短波長をマイナス側に曲げてアポクロマートを実現している。また、第３群Ｇｒ３から第６群Ｇｒ６がズーミング時にそれぞれ独立して動くことにより、ズーミング中の軸上色収差補正量の変動を抑えることで、ズーミングによる軸上色収差の変動を抑えている。
【００６４】
実施例１では、レンズ枚数が１８枚であり、変倍比が１．６４倍であり、射出瞳位置が縮小側像位置から５２０２７ｍｍである。したがって、コンパクトでズーミング時に軸上色収差の変動の少ない投影レンズを実現することができる。
【００６５】
実施例２の投影レンズＺＬは、正負負正正正の６群構成のズームレンズである。変倍時、第１群Ｇｒ１と絞りＳＴより縮小側の第６群Ｇｒ６は固定である。広角端（Ｗ）から望遠端（Ｔ）への変倍において、第２群Ｇｒ２〜第５群Ｇｒ５が全て縮小側へ単調に移動し、第２群Ｇｒ２の移動量が最も大きくなっている。
【００６６】
第３群Ｇｒ３以降の可動群において、全ズーム域で軸上マージナル光線通過位置が高くなる。また、全ズーム域での軸外光の第３群Ｇｒ３以降の可動群における光線通過位置が軸上光の光線通過位置とほぼ重なるため、軸外主光線の通過位置は低くなる。したがって、第３群Ｇｒ３以降の可動群では倍率色収差が変動しにくく、主に軸上色収差が変動することになる。
【００６７】
実施例２では、第３群Ｇｒ３が負の単レンズから成り、第４群Ｇｒ４と第５群Ｇｒ５が正の単レンズから成り、第３群Ｇｒ３の負レンズ（第７レンズＬ７）が短波長をマイナス側に曲げてアポクロマートを実現している。また、第３群Ｇｒ３から第５群Ｇｒ５がズーミング時にそれぞれ独立して動くことにより、ズーミング中の軸上色収差補正量の変動を抑えることで、ズーミングによる軸上色収差の変動を抑えている。
【００６８】
実施例２では、レンズ枚数が１７枚であり、変倍比が１．６４倍であり、射出瞳位置が縮小側像位置から１８９６０７ｍｍである。したがって、コンパクトでズーミング時に軸上色収差の変動の少ない投影レンズを実現することができる。
【００６９】
実施例３の投影レンズＺＬは、負正負正正の５群構成のズームレンズである。変倍時、第１群Ｇｒ１と絞りＳＴより縮小側の第５群Ｇｒ５は固定である。広角端（Ｗ）から望遠端（Ｔ）への変倍において、第２群Ｇｒ２が拡大側、第３群Ｇｒ３と第４群Ｇｒ４が縮小側へ単調に移動し、第２群Ｇｒ２の移動量が最も大きくなっている。
【００７０】
第３群Ｇｒ３以降の可動群において、全ズーム域で軸上マージナル光線通過位置が高くなる。また、全ズーム域での軸外光の第３群Ｇｒ３以降の可動群における光線通過位置が軸上光の光線通過位置とほぼ重なるため、軸外主光線の通過位置は低くなる。したがって、第３群Ｇｒ３以降の可動群では倍率色収差が変動しにくく、主に軸上色収差が変動することになる。
【００７１】
実施例３では、第３群Ｇｒ３が負の単レンズから成り、第４群Ｇｒ４が正の単レンズから成り、第３群Ｇｒ３の負レンズ（第１０レンズＬ１０）が短波長をマイナス側に曲げてアポクロマートを実現している。また、第３群Ｇｒ３と第４群Ｇｒ４がズーミング時にそれぞれ独立して動くことにより、ズーミング中の軸上色収差補正量の変動を抑えることで、ズーミングによる軸上色収差の変動を抑えている。
【００７２】
実施例３では、レンズ枚数が１７枚であり、変倍比が１．２７倍であり、射出瞳位置が縮小側像位置から５４５９ｍｍである。したがって、コンパクトでズーミング時に軸上色収差の変動の少ない投影レンズを実現することができる。
【００７３】
実施例４の投影レンズＺＬは、負正負正正正の６群構成のズームレンズである。変倍時、第１群Ｇｒ１と絞りＳＴより縮小側の第６群Ｇｒ６は固定である。広角端（Ｗ）から望遠端（Ｔ）への変倍において、第２群Ｇｒ２と第５群Ｇｒ５が拡大側、第３群Ｇｒ３と第４群Ｇｒ４が縮小側へ単調に移動し、第２群Ｇｒ２の移動量が最も大きくなっている。
【００７４】
第３群Ｇｒ３以降の可動群において、全ズーム域で軸上マージナル光線通過位置が高くなる。また、全ズーム域での軸外光の第３群Ｇｒ３以降の可動群における光線通過位置が軸上光の光線通過位置とほぼ重なるため、軸外主光線の通過位置は低くなる。したがって、第３群Ｇｒ３以降の可動群では倍率色収差が変動しにくく、主に軸上色収差が変動することになる。
【００７５】
実施例４では、第３群Ｇｒ３が負の単レンズから成り、第４群Ｇｒ４と第５群Ｇｒ５が正の単レンズから成り、第３群Ｇｒ３の負レンズ（第１０レンズＬ１０）が短波長をマイナス側に曲げてアポクロマートを実現している。また、第３群Ｇｒ３から第５群Ｇｒ５がズーミング時にそれぞれ独立して動くことにより、ズーミング中の軸上色収差補正量の変動を抑えることで、ズーミングによる軸上色収差の変動を抑えている。
【００７６】
実施例４では、レンズ枚数が１８枚であり、変倍比が１．２５倍であり、射出瞳位置が縮小側像位置から６７８８ｍｍである。したがって、コンパクトでズーミング時に軸上色収差の変動の少ない投影レンズを実現することができる。
【００７７】
実施例１
単位：mm
面データ
i             r        t                               Nd      Vd
1          434.478    7.400                          1.80610  40.73
2          142.194    3.281
3          143.271   17.732                          1.48749  70.45
4         1249.605    0.300
5          174.785   17.717                          1.48749  70.45
6         -851.127    2.000  〜  51.575  〜  85.600
7          366.860    5.600                          1.49700  81.61
8           53.942   13.797
9          657.771    3.300                          1.49700  81.61
10          98.654    0.838
11          62.606    6.866                          1.72916  54.66
12          96.254   66.698  〜  30.159  〜   7.136
13         -71.759    2.400                          1.75520  27.52
14         123.595   21.624  〜  25.682  〜  27.368
15         620.855    5.604                          1.74077  27.75
16        -115.118    3.000  〜  17.589  〜  19.271
17        -330.930    2.400                          1.67270  32.17
18         497.070   17.952  〜   5.633  〜   2.000
19         240.649    6.331                          1.65844  50.84
20        -123.002   32.101  〜  12.738  〜   2.000
21(絞り)        ∞    4.724
22          94.248    4.076                          1.75520  27.52
23         197.383   48.196
24         126.654    1.600                          1.56732  42.85
25          68.499    9.849
26         -50.770    3.000                          1.80610  40.73
27         184.660    2.263
28         253.147   10.462                          1.49700  81.61
29         -59.213    0.427
30          90.040   12.454                          1.49700  81.61
31        -116.160    0.300
32        -995.684    3.300                          1.80610  40.73
33          74.180    3.099
34          92.933   15.436                          1.49700  81.61
35         -99.663    1.080
36          90.593    9.345                          1.49700  81.61
37              ∞   18.450
38              ∞  116.500                          1.51680  64.20
39              ∞    5.000
40              ∞    3.000                          1.48749  70.45
41              ∞    0.500
42              ∞
【００７８】
各種データ
ZR=    1.64
Y'=   19.14
f=   49.887  〜  65.761  〜  81.635
FNo=    3.401  〜   3.400  〜   3.400
ω=   20.986  〜  16.031  〜  12.998
BF=  109.014  〜 109.011  〜 109.011
TL=  466.219  〜 466.217  〜 466.216
【００７９】
ズームレンズ群データ
群(面)    焦点距離
1(1-6)     379.764
2(7-12)   -124.990
3(13-14)   -59.801
4(15-16)   131.522
5(17-18)  -294.982
6(19-20)   124.482
7(21-37)   125.444
【００８０】
実施例２
単位：mm
面データ
i             r        t                               Nd      Vd
1          510.535    7.400                          1.80610  40.73
2          146.378   11.817
3          144.822   21.881                          1.48749  70.45
4         -662.310    0.300
5          174.683   12.232                          1.48749  70.45
6          945.228    3.945  〜  40.864  〜  84.804
7          166.981    5.600                          1.49700  81.61
8           47.717   14.693
9          576.327    3.300                          1.49700  81.61
10          99.202    0.415
11          54.677    6.202                          1.72916  54.66
12          72.218   62.928  〜  34.785  〜   7.508
13         -71.881    2.400                          1.75520  27.52
14         136.092   24.395  〜  24.601  〜  26.192
15        5181.799    6.299                          1.74077  27.75
16        -155.826   20.160  〜  21.290  〜  17.692
17         399.597    6.608                          1.65844  50.84
18        -120.899   26.768  〜  16.657  〜   2.000
19(絞り)        ∞    1.325
20         109.301    3.961                          1.75520  27.52
21         252.288   52.348
22         108.179    1.600                          1.56732  42.85
23          61.326   10.142
24         -53.446    3.000                          1.80610  40.73
25         194.182    2.247
26         264.423   10.344                          1.49700  81.61
27         -59.832    0.300
28          85.440   12.431                          1.49700  81.61
29        -126.941    0.300
30        -509.929    3.300                          1.80610  40.73
31          76.169    3.090
32          95.849   14.373                          1.49700  81.61
33         -92.616    1.000
34          89.201    9.445                          1.49700  81.61
35              ∞   18.450
36              ∞  116.500                          1.51680  64.20
37              ∞    5.000
38              ∞    3.000                          1.48749  70.45
39              ∞    0.500
40              ∞
【００８１】
各種データ
ZR=    1.64
Y'=   18.99
f=   49.889  〜  61.932  〜  81.638
FNo=    3.400  〜   3.399  〜   3.399
ω=   20.838  〜  17.003  〜  13.095
BF=  109.072  〜 109.08   〜 109.075
TL=  466.177  〜 466.184  〜 466.179
【００８２】
ズームレンズ群データ
群(面)    焦点距離
1(1-6)     361.279
2(7-12)   -121.625
3(13-14)   -61.976
4(15-16)   204.318
5(17-18)   141.679
6(19-35)   126.243
【００８３】
実施例３
単位：mm
面データ
i             r        t                               Nd      Vd
1          190.089   15.080                          1.51680  64.20
2         -1431.688    0.300
3          364.361    7.000                          1.49700  81.61
4           84.916   17.323
5         7065.621    4.000                          1.49700  81.61
6          102.495   30.145
7          -63.773    4.000                          1.60342  38.00
8         -2465.280    4.586
9         -419.103   21.389                          1.77250  49.65
10         -79.834   78.890
11          73.002    6.215                          1.67270  32.17
12          91.356   82.660  〜  63.366  〜  46.047
13        -267.158    5.000                          1.56883  56.04
14          58.887    2.127
15          61.435   15.291                          1.49700  81.61
16        -177.434    0.300
17         171.807    6.242                          1.49700  81.61
18        -1449.492    4.867  〜  31.816  〜 59.206
19         -84.999    2.000                          1.49700  81.61
20         254.677   18.491  〜  11.709  〜   3.000
21          64.190    4.141                          1.67270  32.17
22         136.102    6.078  〜   5.203  〜   3.842
23(絞り)        ∞   55.516
24         -43.506    2.000                          1.80610  40.73
25        1572.517    2.755
26        -563.456    9.647                          1.49700  81.61
27         -53.028    0.300
28         227.199   10.782                          1.49700  81.61
29         -85.466    0.300
30         154.117    3.000                          1.74330  49.23
31          96.417    4.160
32         164.074    8.668                          1.49700  81.61
33        -204.947    0.583
34         109.777    8.035                          1.49700  81.61
35        -2799.915   23.129
36              ∞  116.500                          1.51680  64.20
37              ∞    5.000
38              ∞    3.000                          1.48749  70.45
39              ∞    0.500
40              ∞
【００８４】
各種データ
ZR=    1.27
Y'=   18.71
f=   46.883  〜  52.398  〜  59.383
FNo=    3.401  〜   3.401  〜   3.400
ω=   21.747  〜  19.587  〜  17.404
BF=  107.478  〜 107.469  〜 107.472
TL=  549.349  〜 549.339  〜 549.342
【００８５】
ズームレンズ群データ
群(面)    焦点距離
1(1-12)  -1764.545
2(13-18)   340.458
3(19-20)  -127.977
4(21-22)   176.507
5(23-35)    97.788
【００８６】
実施例４
単位：mm
面データ
i             r        t                               Nd      Vd
1          253.740   13.058                          1.51680  64.20
2         -909.688    0.300
3          782.738    7.000                          1.49700  81.61
4           92.067   15.706
5          834.102    4.000                          1.49700  81.61
6          125.184   29.774
7          -69.594    5.000                          1.60342  38.00
8         1088.314    4.617
9         -1133.268   23.718                         1.77250  49.65
10         -87.531   60.198
11          68.027    6.422                          1.67270  32.17
12          79.601   97.952  〜  84.823  〜  72.952
13        -105.942    3.000                          1.56883  56.04
14          63.750    2.131
15          67.186   15.612                          1.49700  81.61
16        -109.671    0.300
17         173.604    7.318                          1.49700  81.61
18        -298.846    4.376  〜  25.939  〜  47.811
19         -82.905    2.000                          1.49700  81.61
20         155.543    3.040  〜   3.089  〜   3.000
21         107.858    3.470                          1.67270  32.17
22         155.700   22.573  〜  13.773  〜   3.000
23          71.507    4.013                          1.67270  32.17
24         141.972    3.837  〜   4.155  〜   5.016
25(絞り)        ∞   60.617
26         -48.837    2.193                          1.80610  40.73
27         411.927    2.614
28        2356.531   10.595                          1.49700  81.61
29         -55.499    0.300
30         185.845   11.340                          1.49700  81.61
31         -92.200    0.300
32         132.984    3.000                          1.74330  49.23
33          88.416    4.124
34         136.765    8.615                          1.49700  81.61
35        -306.015    0.300
36         109.334    7.049                          1.49700  81.61
37         600.954   24.536
38              ∞  116.500                          1.51680  64.20
39              ∞    5.000
40              ∞    3.000                          1.48749  70.45
41              ∞    0.500
42              ∞
【００８７】
各種データ
ZR=    1.25
Y'=   18.68
f=   47.514  〜  52.793  〜  59.393
FNo=    3.401  〜   3.401  〜   3.400
ω=   21.459  〜  19.446  〜  17.401
BF=  108.884  〜 108.875  〜 108.871
TL=  559.349  〜 559.34   〜 559.336
【００８８】
ズームレンズ群データ
群(面)    焦点距離
1(1-12)  -1369.272
2(13-18)   297.096
3(19-20)  -108.511
4(21-22)   507.020
5(23-24)   209.370
6(25-37)   101.471
【００８９】
【表１】
2013148812.tif 000003
【符号の説明】
【００９０】
ＺＬ    投影レンズ（ズームレンズ）
Ｇｒ１    第１群
Ｇｒ２    第２群
Ｇｒ３    第３群
Ｇｒ４    第４群
Ｇｒ５    第５群
Ｇｒ７    第７群
Ｌｊ    第ｊレンズ（ｊ＝１，２，３，…）
ＳＴ    絞り
ＩＭ    画像表示面（像面）
ＰＪ    プロジェクタ
ＰＲ    プリズム
１１    スクリーン面
１２    レーザ光源
１３    照明光学系
１４    画像表示素子
１５    制御部
１６    アクチュエータ
ＡＸ    光軸
【図１】
2013148812.tif 000004
【図２】
2013148812.tif 000005
【図３】
2013148812.tif 000006
【図４】
2013148812.tif 000007
【図５】
2013148812.tif 000008
【図６】
2013148812.tif 000009
【図７】
2013148812.tif 000010
【図８】
2013148812.tif 000011
【図９】
2013148812.tif 000012
【図１０】
2013148812.tif 000013
【図１１】
2013148812.tif 000014
【図１２】
2013148812.tif 000015
【図１３】
2013148812.tif 000016
【図１４】
2013148812.tif 000017
【図１５】
2013148812.tif 000018
【図１６】
2013148812.tif 000019
【図１７】
2013148812.tif 000020
【図１８】
2013148812.tif 000021